(57)【要約】【課題】所望のデータ入力領域を容易に選択可能な携帯端末を提供する。【解決手段】表示画面４６ａに表示される各データ入力領域Ｓのいずれか１つを選択可能な選択モードと、この選択モードにより選択されたデータ入力領域Ｓに対してキーボード５０の各キーの操作に応じた所定の情報を入力可能な入力モードと、が切り替え可能に構成されている。そして、各キーがそれぞれキーボード５０において配置される各キー位置と各データ入力領域Ｓがそれぞれ表示画面４６ａにおいて表示される各入力位置とをそれぞれ対応させて、各キーのいずれか１つの操作に基づいて当該キーに対応するデータ入力領域Ｓが選択される。【選択図】図３
2010277215.tif 000002
【特許請求の範囲】
【請求項１】
複数のデータ入力領域を表示する表示画面と、
前記各データ入力領域に対して所定の情報を入力するため複数のキーが配置されるキーボードと、
前記各データ入力領域のいずれか１つをデータ入力領域選択手段により選択可能な選択モードと、この選択モードにより選択されたデータ入力領域に対して前記各キーの操作に応じた前記所定の情報を入力可能な入力モードとを切り替え可能なモード切替手段と、
を備える携帯端末であって、
前記データ入力領域選択手段は、前記各キーがそれぞれ前記キーボードにおいて配置される各キー位置と前記各データ入力領域がそれぞれ前記表示画面において表示される各入力位置とをそれぞれ対応させて、前記各キーのいずれか１つの操作に基づいて当該キーに対応するデータ入力領域を選択することを特徴とする携帯端末。
【請求項２】
前記データ入力領域選択手段は、前記表示画面において対応する前記各キー位置をそれぞれ明示するためのパターンを当該表示画面に表示するパターン表示手段を備えることを特徴とする請求項１に記載の携帯端末。
【請求項３】
前記各キーを当該キーごとに点灯および消灯のいずれかの状態にするための点灯手段を備え、
前記点灯手段は、前記モード切替手段により前記選択モードに切り替えられるとき前記表示画面に表示される前記各データ入力領域の前記入力位置にそれぞれに対応するキー位置のキーをそれぞれ点灯状態にすることを特徴とする請求項１または２に記載の携帯端末。
【請求項４】
前記点灯手段は、前記表示画面に表示される前記各データ入力領域の前記入力位置のうち少なくとも２つに対応するキー位置が１つであるとき当該キー位置のキーを点滅状態にすることを特徴とする請求項３に記載の携帯端末。
【請求項５】
前記モード切替手段により前記選択モードに切り替えられるとき、前記データ入力領域選択手段により選択された前記データ入力領域に代えてこのデータ入力領域に隣接して表示される他のデータ入力領域を選択する選択調整手段を備えることを特徴とする請求項１〜４のいずれか一項に記載の携帯端末。
【発明の詳細な説明】
【技術分野】
【０００１】
本発明は、表示画面に表示される各データ入力領域に対してキーボードの操作により情報を入力する携帯端末に関するものである。
【背景技術】
【０００２】
従来、表示画面に表示される各データ入力領域に対してキーボードの操作により情報を入力する携帯端末に関する技術として、下記特許文献１に示す情報処理装置が知られている。この情報処理装置は、画面上に表示されるポインティングカーソルの移動を行うカーソル移動モードと、文字などの情報の入力を行う情報入力モードと、の２つのモードを持ち、モード切り換えキーによってこの２つのモードを切り換えるように構成されている。
【０００３】
この情報処理装置では、まず、モード切り換えキーの押下により情報入力モードからカーソル移動モードに切り換え、キーボード上のキーを押下することで、このキーの特定位置からの移動方向及び距離に応じて、ポインティングカーソルを移動させる。このようなキー入力操作を繰り返し、ポインティングカーソルを所望の位置まで移動させた後、再びモード切り換えキーを押下して情報入力モードに切り換え、移動後の入力位置から情報の入力を行う。
【先行技術文献】
【特許文献】
【０００４】
【特許文献１】特開平０７−３１９５９６号公報
【発明の概要】
【発明が解決しようとする課題】
【０００５】
ところで、携帯端末は、通常、入力装置としてキーボードのみを備えマウス等の表示画面上のカーソルを容易に移動可能な入力補助装置を備えていないために、表示画面上での所望のデータ入力領域に対してカーソルを移動させる手間が掛かっていた。特に携帯端末はキーボードのキー数が少ないことから、上記特許文献１のように押下されたキーの特定位置からの移動方向及び距離に応じてカーソルを所望のデータ入力領域に移動させることが困難であった。
【０００６】
本発明は、上述した課題を解決するためになされたものであり、その目的とするところは、所望のデータ入力領域を容易に選択可能な携帯端末を提供することにある。
【課題を解決するための手段】
【０００７】
上記目的を達成するため、特許請求の範囲に記載の請求項１の携帯端末では、複数のデータ入力領域を表示する表示画面と、前記各データ入力領域に対して所定の情報を入力するため複数のキーが配置されるキーボードと、前記各データ入力領域のいずれか１つをデータ入力領域選択手段により選択可能な選択モードと、この選択モードにより選択されたデータ入力領域に対して前記各キーの操作に応じた前記所定の情報を入力可能な入力モードとを切り替え可能なモード切替手段と、を備える携帯端末であって、前記データ入力領域選択手段は、前記各キーがそれぞれ前記キーボードにおいて配置される各キー位置と前記各データ入力領域がそれぞれ前記表示画面において表示される各入力位置とをそれぞれ対応させて、前記各キーのいずれか１つの操作に基づいて当該キーに対応するデータ入力領域を選択することを特徴とする。
【０００８】
請求項２の発明は、請求項１に記載の携帯端末において、前記データ入力領域選択手段は、前記表示画面において対応する前記各キー位置をそれぞれ明示するためのパターンを当該表示画面に表示するパターン表示手段を備えることを特徴とする。
【０００９】
請求項３の発明は、請求項１または２に記載の携帯端末において、前記各キーを当該キーごとに点灯および消灯のいずれかの状態にするための点灯手段を備え、前記点灯手段は、前記モード切替手段により前記選択モードに切り替えられるとき前記表示画面に表示される前記各データ入力領域の前記入力位置にそれぞれに対応するキー位置のキーをそれぞれ点灯状態にすることを特徴とする。
【００１０】
請求項４の発明は、請求項３に記載の携帯端末において、前記点灯手段は、前記表示画面に表示される前記各データ入力領域の前記入力位置のうち少なくとも２つに対応するキー位置が１つであるとき当該キー位置のキーを点滅状態にすることを特徴とする。
【００１１】
請求項５の発明は、請求項１〜４のいずれか一項に記載の携帯端末において、前記モード切替手段により前記選択モードに切り替えられるとき、前記データ入力領域選択手段により選択された前記データ入力領域に代えてこのデータ入力領域に隣接して表示される他のデータ入力領域を選択する選択調整手段を備えることを特徴とする。
【発明の効果】
【００１２】
請求項１の発明では、表示画面に表示される各データ入力領域のいずれか１つをデータ入力領域選択手段により選択可能な選択モードと、この選択モードにより選択されたデータ入力領域に対してキーボードの各キーの操作に応じた所定の情報を入力可能な入力モードとを切り替え可能なモード切替手段が設けられている。そして、データ入力領域選択手段は、各キーがそれぞれキーボードにおいて配置される各キー位置と各データ入力領域がそれぞれ表示画面において表示される各入力位置とをそれぞれ対応させて、各キーのいずれか１つの操作に基づいて当該キーに対応するデータ入力領域を選択する。
【００１３】
このように、選択モードでは、各キーのいずれか１つが操作されると、このキーのキー位置に対応するデータ入力領域が選択されるので、一回のキー操作で所望のデータ入力領域を容易に選択することができる。特に、各キーのキー位置と各データ入力領域の入力位置とがそれぞれ対応しているので、両者の対応関係が視覚的に把握でき、所望のデータ入力領域に対応するキーを確実に操作することができる。
【００１４】
請求項２の発明では、データ入力領域選択手段は、表示画面において対応する各キー位置をそれぞれ明示するためのパターンを当該表示画面に表示するパターン表示手段を備えているため、選択モード時に上記パターンを表示画面に表示することにより、当該表示画面上において各キーのキー位置と各データ入力領域の入力位置との対応関係が明示されることとなる。これにより、両者の対応関係が確実に把握でき、所望のデータ入力領域に対応するキーをより確実に操作することができる。
【００１５】
請求項３の発明では、モード切替手段により選択モードに切り替えられるとき表示画面に表示される各データ入力領域の入力位置にそれぞれに対応するキー位置のキーを点灯手段によりそれぞれ点灯状態にする。これにより、各キーのうち各データ入力領域の入力位置との対応関係にあるキーだけが点灯状態になるため、各データ入力領域の入力位置と対応するキーのキー位置との関係がより明確になり、所望のデータ入力領域に対応するキーをより確実に操作することができる。
【００１６】
請求項４の発明では、点灯手段は、表示画面に表示される各データ入力領域の入力位置のうち少なくとも２つに対応するキー位置が１つであるとき当該キー位置のキーを点滅状態にするため、点滅状態のキーが１つで複数のデータ入力領域に対応していることを使用者に認識させることができる。
【００１７】
請求項５の発明では、モード切替手段により選択モードに切り替えられるとき、データ入力領域選択手段により選択されたデータ入力領域に代えてこのデータ入力領域に隣接して表示される他のデータ入力領域を選択する選択調整手段を備えている。これにより、所望のデータ入力領域を選択するためにキーを操作した場合にこの所望のデータ入力領域に隣接する他のデータ入力領域が選択される場合であっても選択調整手段を操作等することで確実に所望のデータ入力領域を選択することができる。
【図面の簡単な説明】
【００１８】
【図１】本発明の第１実施形態に係る光学的情報読取装置１０の構成を示す説明図である。
【図２】図１の光学的情報読取装置１０の電気的構成を例示するブロック図である。
【図３】第１実施形態における情報入力処理の流れを例示するフローチャートである。
【図４】第１実施形態における表示画面４６ａの表示状態を示す説明図であって、図４（Ａ）は、選択モード切り替え直後の表示状態を示し、図４（Ｂ）は、データ入力領域Ｓが選択された表示状態を示し、図４（Ｃ）は、データ入力領域Ｓの選択が微調整された表示状態を示し、図４（Ｄ）は、入力モードにおいて選択されたデータ入力領域Ｓに情報が入力された表示状態を示す。
【図５】第１実施形態の変形例に係る情報入力処理の流れを例示するフローチャートである。
【図６】第２実施形態における情報入力処理の流れを例示するフローチャートである。
【図７】第２実施形態の選択モードにおける表示画面４６ａの表示状態を示す説明図である。
【図８】第２実施形態の変形例に係る情報入力処理の流れを例示するフローチャートである。
【図９】第３実施形態に係る光学的情報読取装置１０の構成構成を示す説明図である。
【図１０】第３実施形態における情報入力処理の流れを例示するフローチャートである。
【図１１】第３実施形態の変形例に係る情報入力処理の流れを例示するフローチャートである。
【発明を実施するための形態】
【００１９】
［第１実施形態］
以下、本発明の携帯端末を光学的情報読取装置１０に適用した第１実施形態について図を参照して説明する。
図１に示す光学的情報読取装置１０は、バーコード等の一次元コードやＱＲコード等の二次元コードを読み取る携帯型のコードリーダであってテンキー入力が可能に構成されており、筐体１１内にコードリーダを構成するための回路部２０等が収容されている。また、筐体１１の上面には表示画面４６ａを有する液晶表示器４６と、テンキー入力用のキーボード５０とが設けられている。また、筐体１１の両側面には、読み取りを指示するためのトリガースイッチ４２ａ，４２ｂが設けられている。
【００２０】
図２に示すように、回路部２０は、主に、照明光源２１、受光センサ２８、結像レンズ２７等の光学系と、メモリ３５、制御回路４０、トリガースイッチ４２ａ，４２ｂ等のマイクロコンピュータ（以下「マイコン」という）系と、から構成されている。
【００２１】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、情報コードＢが付された物品Ｒに向けて照明光Ｌｆを照射する例を概念的に示している。
【００２２】
受光光学系は、受光センサ２８、結像レンズ２７、反射鏡（図示略）などによって構成されている。受光センサ２８は、ＣＣＤエリアセンサとして構成されるものであり、情報コードＢに照射されて反射した反射光Ｌｒを受光可能に構成されている。この受光センサ２８は、結像レンズ２７を介して入射する入射光を受光可能にプリント配線板（図示略）に実装されている。
【００２３】
結像レンズ２７は、外部から読取口１８を介して入射する入射光を集光して受光センサ２８の受光面２８ａに像を結像可能な結像光学系として機能するものである。本実施形態では、照明光源２１から照射された照明光Ｌｆが情報コードＢにて反射した後、この反射光Ｌｒを結像レンズ２７で集光し、受光センサ２８の受光面２８ａにコード像を結像させている。
【００２４】
マイコン系は、増幅回路３１、Ａ／Ｄ変換回路３３、メモリ３５、アドレス発生回路３６、同期信号発生回路３８、制御回路４０、トリガースイッチ４２ａ，４２ｂ、発光部４３、ブザー４４、バイブレータ４５、液晶表示器４６、通信インタフェース４８、キーボード５０等から構成されている。
【００２５】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２６】
制御回路４０は、光学的情報読取装置１０全体を制御可能なマイコンによって構成されており、ＣＰＵ、システムバス、入出力インタフェース等を有するとともに、情報処理機能を備えており、メモリ３５とともに情報処理装置を構成している。本第１実施形態では、制御回路４０に対し、トリガースイッチ４２ａ，４２ｂ、発光部４３、ブザー４４、バイブレータ４５、液晶表示器４６、通信インタフェース４８、キーボード５０等が接続されている。
【００２７】
これにより、制御回路４０は、例えば、トリガースイッチ４２ａ，４２ｂの監視や管理、情報コードＢの読み取りに関する情報を報知するインジケータとして機能する発光部４３の点灯・消灯、ビープ音やアラーム音を発生可能なブザー４４の鳴動のオンオフ、当該光学的情報読取装置１０の使用者に伝達し得る振動を発生可能なバイブレータ４５の駆動制御、液晶表示器４６の表示制御や外部装置とのシリアル通信を可能にする通信インタフェース４８の通信制御、キーボード５０からの入力信号の処理等を可能にしている。
【００２８】
特に、液晶表示器４６は、制御回路４０により制御されて、例えば、その表示画面４６ａに後述するようにデコード成功時には情報コードＢの内容が表示され、情報入力処理時には複数のデータ入力領域Ｓが表示されるように構成されている。
【００２９】
また、キーボード５０は、制御回路４０に対して所定の情報を入力するための入力装置であって、４個のファンクションキー「Ｆ１」キー〜「Ｆ４」キーと、１０個のテンキー「０」キー〜「９」キーと、「．」キー、「ＳＰ」キー、「ＢＳ」キー、「Ｃ」キーおよび「ＥＮＴ」キーと、を備えている。また、各キーのうち、「Ｆ１」キー〜「Ｆ４」キーと「０」キー〜「９」キーと、「．」キーおよび「ＳＰ」キーの１６個のキーは、後述する選択モードにおいてカーソルＣの移動のために操作されるカーソル移動キーとして機能するもので、縦方向および横方向にてそれぞれ略等間隔に配列されている（図１参照）。
【００３０】
このように構成される光学的情報読取装置１０の読取処理は以下のように行われる。
例えば、電源スイッチ（図示略）がオンされて所定の自己診断処理等が正常終了し、情報コードＢの読み取りが可能な状態になると、照明光Ｌｆの発光を指示するトリガースイッチ４２ａ，４２ｂの入力を受け付ける。このような状態で、作業者がいずれかのトリガースイッチ４２ａ，４２ｂを押圧しオンにすると、それをトリガとして制御回路４０が同期信号を基準に照明光源２１に発光信号を出力する。当該発光信号を受けた照明光源２１は、ＬＥＤを発光させて照明光Ｌｆを照射する。照明光Ｌｆは、読取口１８を通って情報コードＢに照射される。
【００３１】
すると、情報コードＢに照射された照明光Ｌｆが反射し、その反射光Ｌｒが読取口１８を通って筐体１１内に入射することとなる。この反射光Ｌｒが結像レンズ２７を介して受光センサ２８の受光面２８ａに到達することにより、当該受光面２８ａの撮像領域には情報コードＢの像、つまりコード像が結像されることとなる。これにより、受光センサ２８を構成する各受光素子が露光され、それら各受光素子から情報コードＢの像に応じた受光信号が出力され、画像データとしてメモリ３５に記憶される。そして、メモリ３５に記憶されたコード画像を２値化した後、公知のデコード処理が行われ、情報コードＢとして符号化された文字データ等が解読される。なお、デコードに成功した場合には、その旨を示す報知出力（例えば「ＯＫ」の文字、短いビープ音や緑色光）を、またデコードに失敗した場合には、その旨を示す報知出力（例えば「ＮＧ」の文字、長いビープ音や赤色光）を、液晶表示器４６、ブザー４４やバイブレータ４５によって出力し、当該光学的情報読取装置１０の使用者に情報コードＢの読み取りの可否を報知する。また、デコードに成功した場合には、デコードされたデータ、つまり情報コードＢの内容を液晶表示器４６に出力したり、通信インタフェース４８を介してホストコンピュータ（図示略）等に出力する。
【００３２】
次に、本発明の特徴部分である、表示画面４６ａに表示される複数のデータ入力領域Ｓに情報を入力する情報入力処理について図を用いて説明する。
情報入力処理では、入力すべきデータ入力領域を選択するための選択モードとこの選択モードにより選択されたデータ入力領域に対して所定の情報を入力するための入力モードとが切り替え可能に構成されており、例えば、図１に示すように、８つのデータ入力領域Ｓ１〜Ｓ８が表示画面４６ａに表示され、選択モード時に選択されたデータ入力領域に対して、入力モード時に所定の情報が入力されることとなる。
【００３３】
以下、制御回路４０により実行される情報入力処理について、図３のフローチャートを用いて詳細に説明する。
制御回路４０により情報入力処理が開始されると、表示画面４６ａに所定のデータ入力領域Ｓが複数表示された状態（図１では、８つのデータ入力領域Ｓ１〜Ｓ８を例示）において、図３のステップＳ１０１にて選択モードに切り替えられたか否かについて判定される。本第１実施形態では、例えば、トリガースイッチ４２ｂと「ＥＮＴ」キーとを同時押下することにより選択モードと入力モードとが切り替えられるように構成されており、入力モード時にトリガースイッチ４２ｂおよび「ＥＮＴ」キーが同時押下されるまで、ステップＳ１０１にてＮｏとの判定が繰り返される。なお、このように上記両キーを同時押下することでモードを切り替えることにより、プログラムの処理として自動的にモードを切り替える場合と比較して、入力する順序が予め決まっており選択モードにおいてデータ入力領域Ｓを選択する必要がない場合でも円滑に情報入力処理を実行することができる。また、情報入力処理を実行する制御回路４０は、特許請求の範囲に記載の「モード切替手段」および「データ入力領域選択手段」の一例に相当する。
【００３４】
そして、上記両キーが同時押下されると（Ｓ１０１でＹｅｓ）、入力モードから選択モードに切り替えられて、ステップＳ１０３において、カーソル移動処理がなされる。この処理では、使用者により上記カーソル移動キーのいずれかのキーが押下されると、この押下されたキーに応じた各データ入力領域Ｓ１〜Ｓ８のいずれかが選択されて、この選択されたデータ入力領域ＳにカーソルＣが移動するように表示される。なお、選択モードに切り替えられた直後では、データ入力領域Ｓ１にカーソルＣが移動しているものとする（図４（Ａ）参照）。
【００３５】
具体的には、上記カーソル移動キーの各キーがそれぞれキーボード５０において配置される各キー位置と、各データ入力領域Ｓ１〜Ｓ８がそれぞれ表示画面４６ａにおいて表示される各入力位置とがそれぞれ対応しており、カーソル移動キーのいずれかのキーが押下されるとこの押下されたキーのキー位置に対応する入力位置のデータ入力領域Ｓが選択されることとなる。例えば、図４（Ａ）の波線領域で示す「３」キーが押下されると、図４（Ｂ）の波線領域で示す「３」キーのキー位置に対応する入力位置のデータ入力領域Ｓ５が選択されることとなる。
【００３６】
次に、ステップＳ１０５においてカーソル位置調整か否かについて判定される。本第１実施形態では、選択モードにおいてトリガースイッチ４２ａ，４２ｂのいずれかを押下することにより、データ入力領域Ｓの選択を微調整することができる。具体的には、図４（Ｂ）に示すようにデータ入力領域Ｓ５にカーソルＣが移動している場合にステップＳ１０５にてトリガースイッチ４２ｂを押下することにより、ステップＳ１０７において、先に選択されたデータ入力領域Ｓ５のトリガースイッチ４２ｂ側（図中の右側）に隣接するデータ入力領域Ｓ６が選択されてこのデータ入力領域Ｓ６にカーソルＣが移動する（図４（Ｃ）参照）。なお、データ入力領域Ｓ５が選択されている場合にトリガースイッチ４２ａを押下すると、トリガースイッチ４２ａ側（図中の左側）に隣接するデータ入力領域Ｓ４が選択されることとなる。
【００３７】
上述のようにステップＳ１０３，Ｓ１０７における処理により使用者の所望のデータ入力領域Ｓが選択されたことから、使用者がトリガースイッチ４２ｂおよび「ＥＮＴ」キーを同時押下して入力モードに切り替えると（Ｓ１０９でＹｅｓ）、ステップＳ１１１において入力処理がなされる。この処理では、上述のように選択されたデータ入力領域Ｓに対してキーボード５０の各キーの操作に応じた情報が入力される。具体的には、使用者により「１」、「２」キーが押下されることにより、図４（Ｄ）に示すようにカーソルＣが移動したデータ入力領域Ｓ６に対して、「１２」が入力されて表示されることとなる。
【００３８】
続いて、再び使用者がトリガースイッチ４２ｂおよび「ＥＮＴ」キーを同時押下したことから選択モードに切り替えられると（Ｓ１１３でＹｅｓ）、ステップＳ１１５において、全データ入力領域Ｓ１〜Ｓ８に情報が入力されたか否かについて判定される。そして、全てのデータ入力領域Ｓ１〜Ｓ８に情報が入力されるまでステップＳ１１５にてＮｏと判定されて上記ステップＳ１０３からの処理が繰り返される。
【００３９】
そして、上記ステップＳ１０３からの処理が繰り返されることにより、全てのデータ入力領域Ｓ１〜Ｓ８に情報が入力されると（Ｓ１１５でＹｅｓ）、ステップＳ１１７にてカーソル移動処理がなされて、使用者の「ＳＰ」キーの押下によりこの「ＳＰ」キーのキー位置に対応する表示画面４６ａの「終了」が選択される。続いてステップＳ１１９にて「終了」が選択された状態で「ＥＮＴ」キーが押下されることによりＹｅｓと判定されて、情報入力処理が終了する。なお、表示画面４６ａにおいて、「終了」に代えて「次へ」等を表示しこの「次へ」が選択された場合には、新たなデータ入力領域が表示されている表示画面４６ａを表示して、上記ステップＳ１０３からの処理を繰り返すようにしてもよい。
【００４０】
以上説明したように、本第１実施形態に係る光学的情報読取装置１０において制御回路４０により実行される情報入力処理では、表示画面４６ａに表示される各データ入力領域Ｓのいずれか１つを選択可能な選択モードと、この選択モードにより選択されたデータ入力領域Ｓに対してキーボード５０の各キーの操作に応じた所定の情報を入力可能な入力モードと、が切り替え可能に構成されている。そして、各キーがそれぞれキーボード５０において配置される各キー位置と各データ入力領域Ｓがそれぞれ表示画面４６ａにおいて表示される各入力位置とをそれぞれ対応させて、各キーのいずれか１つの操作に基づいて当該キーに対応するデータ入力領域Ｓが選択される。
【００４１】
このように、選択モードでは、キーボード５０の各キーのいずれか１つが操作されると、このキーのキー位置に対応するデータ入力領域Ｓが選択されるので、一回のキー操作で所望のデータ入力領域を容易に選択することができる。特に、各キーのキー位置と各データ入力領域Ｓの入力位置とがそれぞれ対応しているので、両者の対応関係が視覚的に把握でき、所望のデータ入力領域Ｓに対応するキーを確実に操作することができる。
【００４２】
また、本第１実施形態に係る情報入力処理では、選択モードに切り替えられるとき、選択されたデータ入力領域に代えてこのデータ入力領域に隣接して表示される他のデータ入力領域を選択する選択調整手段としてトリガースイッチ４２ａ，４２ｂが設けられている。これにより、所望のデータ入力領域を選択するためにキーを操作した場合にこの所望のデータ入力領域に隣接する他のデータ入力領域が選択される場合であってもトリガースイッチ４２ａ，４２ｂを操作等することで確実に所望のデータ入力領域を選択することができる。
【００４３】
上記第１実施形態の変形例として、上述した情報入力処理において、図３に示すフローチャートに代えて、図５のフローチャートを採用してもよい。
具体的には、ステップＳ１０１を削除し、情報入力処理が開始することにより、モードを切り替えるためのキー操作等をすることなく自動的に選択モードに切り替える。また、ステップＳ１０９を削除し、ステップＳ１０３，Ｓ１０７におけるカーソル移動処理が実行されることにより、モードを切り替えるためのキー操作等をすることなく自動的に入力モードに切り替える。また、ステップＳ１１３を削除し、ステップＳ１１１における入力処理が実行されることにより、モードを切り替えるためのキー操作等をすることなく自動的に選択モードに切り替える。これにより、モードを切り替えるためのキー操作等をすることなく自動的に適切なモードに切り替えることができる。
【００４４】
［第２実施形態］
次に、本発明の携帯端末を光学的情報読取装置１０に適用した第２実施形態について図６および図７を参照して説明する。
本第２実施形態に係る光学的情報読取装置１０では、上述した情報入力処理を図３に示すフローチャートに代えて図６に示すフローチャートに基づいて演算処理している点が、上記第１実施形態に係る光学的情報読取装置と異なる。したがって、第１実施形態の光学的情報読取装置と実質的に同一の構成部分には、同一符号を付し、その説明を省略する。
【００４５】
以下、本第２実施形態に係る光学的情報読取装置１０の読取処理について、図６のフローチャートを参照して説明する。
上記第１実施形態と同様に、情報入力処理が開始された後に選択モードに切り替えられると、図６のステップＳ１０２において、グリッド表示処理がなされる。この処理では、図７に示すように、表示画面４６ａにおいて対応するカーソル移動キーの各キー位置をそれぞれ明示するためのパターンとして薄い波線状のグリッドＧが表示される。このグリッドＧは、カーソル移動キーの各キーが４つずつ縦方向および横方向にてそれぞれ略等間隔に配列されていることから、表示画面４６ａを略均等に１６分割するように表示される。
【００４６】
これにより、表示画面４６ａ上において、カーソル移動キーの各キーのキー位置と各データ入力領域Ｓ１〜Ｓ８の入力位置との対応関係が明示されることとなる。なお、グリッドＧは、上述のようにカーソル移動キーの各キー位置に応じて表示画面４６ａを複数分割するように表示されるされることに限らず、例えば、各キーのそれぞれのキー形状に応じたグリッドを位置的に対応する表示画面４６ａに表示してもよい。
【００４７】
そして、上述したようにステップＳ１０３，Ｓ１０７の処理が実行されて所望のデータ入力領域Ｓが選択された後に入力モードに切り替えられると、ステップＳ１１０にてグリッド消去処理がなされて、表示画面４６ａに表示されていたグリッドＧが消去される。これにより、入力モードにおいて所定の情報を入力する際にはグリッドＧが消去されているので、ステップＳ１１１では、グリッドＧを気にすることなく選択したデータ入力領域Ｓに対して所定の情報を入力することができる。このステップＳ１１１以降の処理は、上記第１実施形態と同様である。
【００４８】
以上説明したように、本第２実施形態に係る光学的情報読取装置１０において制御回路４０により実行される情報入力処理では、表示画面４６ａにおいて対応する各キー位置をそれぞれ明示するためのグリッドＧを当該表示画面４６ａに表示するため、選択モード時にグリッドＧを表示画面４６ａに表示することにより、当該表示画面４６ａ上において各キーのキー位置と各データ入力領域Ｓ１〜Ｓ８の入力位置との対応関係が明示されることとなる。これにより、両者の対応関係が確実に把握でき、所望のデータ入力領域Ｓに対応するキーをより確実に操作することができる。
【００４９】
上記第２実施形態の変形例として、上述した情報入力処理において、図６に示すフローチャートに代えて、図８のフローチャートを採用してもよい。
具体的には、ステップＳ１０１を削除し、情報入力処理が開始することにより、モードを切り替えるためのキー操作等をすることなく自動的に選択モードに切り替える。また、ステップＳ１０９を削除し、ステップＳ１０３，Ｓ１０７におけるカーソル移動処理が実行されることにより、モードを切り替えるためのキー操作等をすることなく自動的に入力モードに切り替えた後にグリッドＧを消去する。また、ステップＳ１１３を削除し、ステップＳ１１１における入力処理が実行されることにより、モードを切り替えるためのキー操作等をすることなく自動的に選択モードに切り替える。これにより、モードを切り替えるためのキー操作等をすることなく自動的に適切なモードに切り替えることができる。
【００５０】
［第３実施形態］
次に、本発明の携帯端末を光学的情報読取装置１０に適用した第３実施形態について図９および図１０を参照して説明する。
本第３実施形態に係る光学的情報読取装置１０では、キーボード５０に代えてキーボード５０ａが採用されるとともに、上述した情報入力処理を図３に示すフローチャートに代えて図１０に示すフローチャートに基づいて演算処理している点が、上記第１実施形態に係る光学的情報読取装置と異なる。したがって、第１実施形態の光学的情報読取装置と実質的に同一の構成部分には、同一符号を付し、その説明を省略する。
【００５１】
キーボード５０ａには、各キーのうちカーソル移動キーのそれぞれに対して点灯および消灯のいずれかの状態にするための点灯手段であるバックライトが設けられており、制御回路４０からの指示に応じて、各キーがそれぞれ点灯、点滅および消灯のいずれかの状態になるように構成されている。
【００５２】
以下、本第３実施形態に係る光学的情報読取装置１０の読取処理について、図１０のフローチャートを参照して説明する。
制御回路４０により情報入力処理が開始されると、表示画面４６ａに所定のデータ入力領域Ｓが複数表示された状態（図９では、７つのデータ入力領域Ｓ１〜Ｓ７を例示）において、図１０のステップＳ１０１ａにて選択モードに切り替えられたか否かについて判定される。本第３実施形態では、例えば、選択モードと入力モードとを切り替えるためのバーコード（以下、切替用バーコードＢｏという）を読み取ることにより選択モードと入力モードとが切り替えられるように構成されており、入力モード時に切替用バーコードＢｏが読み取られるまで、ステップＳ１０１ａにてＮｏとの判定が繰り返される。
【００５３】
そして、切替用バーコードＢｏが読み取られると（Ｓ１０１ａでＹｅｓ）、入力モードから選択モードに切り替えられて、ステップＳ１０２ａにおいて、点灯・点滅処理がなされる。この処理では、表示画面４６ａに表示された各データ入力領域Ｓ１〜Ｓ７の入力位置に対応するキー位置のキーのバックライトが点灯・点滅し、対応しないキー位置のキーのバックライトが消灯するように制御される。
【００５４】
具体的には、図９に示すように、データ入力領域Ｓ１、Ｓ２、Ｓ３、Ｓ６およびＳ７に対応する「Ｆ１」キー、「１」キー、「２」キー、「４」キーおよび「７」キーのバックライトが点灯する。特に、「３」キーのバックライトは、データ入力領域Ｓ４、Ｓ５の双方に対応するキー位置に配列されているので、複数のデータ入力領域Ｓに対応するキーであることを明示するために点滅するように制御される。
【００５５】
次に、上記第１実施形態と同様に、ステップＳ１０３、Ｓ１０７におけるカーソル移動処理が実行された後、切替用バーコードＢｏが読み取られることにより（Ｓ１０９ａでＹｅｓ）、入力モードに切り替えられると、ステップＳ１１０ａにおいて消灯処理がなされる。これにより、全てのキーのバックライトが消灯状態になる。そして、ステップＳ１１１にて、選択されたデータ入力領域Ｓに対して所定の情報を入力すると、ステップＳ１１３ａにて切替用バーコードＢｏが読み取られることにより（Ｓ１１３ａでＹｅｓ）、選択モードに切り替えられて、上述したステップＳ１１５以降の処理がなされる。
【００５６】
以上説明したように、本第３実施形態に係る光学的情報読取装置１０において制御回路４０により実行される情報入力処理では、選択モードに切り替えられるとき表示画面４６ａに表示される各データ入力領域Ｓの入力位置にそれぞれに対応するキー位置のキーのバックライトだけが点灯状態になるので、各データ入力領域Ｓの入力位置と対応するキーのキー位置との関係がより明確になり、所望のデータ入力領域Ｓに対応するキーをより確実に操作することができる。
【００５７】
また、本第３実施形態に係る情報入力処理では、表示画面４６ａに表示される各データ入力領域Ｓの入力位置のうち少なくとも２つに対応するキー位置が１つであるとき当該キー位置のキーのバックライトが点滅状態になるため、点滅状態のキーが１つで複数のデータ入力領域に対応していることを使用者に認識させることができる。
【００５８】
上記第３実施形態の変形例として、上述した情報入力処理において、図１０に示すフローチャートに代えて、図１１のフローチャートを採用してもよい。
具体的には、ステップＳ１０１ａを削除し、情報入力処理が開始することにより、モードを切り替えるためのキー操作等をすることなく自動的に選択モードに切り替えた後に点灯・点滅処理を実行する。また、ステップＳ１０９ａを削除し、ステップＳ１０３，Ｓ１０７におけるカーソル移動処理が実行されることにより、モードを切り替えるためのキー操作等をすることなく自動的に入力モードに切り替えた後に消灯処理を実行する。また、ステップＳ１１３ａを削除し、ステップＳ１１１における入力処理が実行されることにより、モードを切り替えるためのキー操作等をすることなく自動的に選択モードに切り替える。これにより、モードを切り替えるためのキー操作等をすることなく自動的に適切なモードに切り替えることができる。
【００５９】
なお、本発明は上記各実施形態に限定されるものではなく、以下のように具体化してもよく、その場合でも、上記各実施形態と同等の作用・効果が得られる。
（１）上述したキーボード５０，５０ａは、さらに多くのキーが所定の配列で構成されてもよい。
【００６０】
（２）上記第１、第２実施形態におけるモードの切り替えにおいて（Ｓ１０１、Ｓ１０９、Ｓ１１３）、トリガースイッチ４２ｂおよび「ＥＮＴ」キーを同時押下することによりモードの切り替えを実施することに限らず、例えば、他の２以上のキーを同時に押下することによりモードの切り替えを実施してもよいし、２以上のキーを所定の順序で押下することによりモードの切り替えを実施してもよい。
【００６１】
また、上記第１、第２実施形態におけるモードの切り替えにおいて、上記第３実施形態と同様に、バーコードＢｏの読み取りに応じてモードの切り替えを実施してもよい。また、上記第３実施形態におけるモードの切り替えにおいて（Ｓ１０１ａ、Ｓ１０９ａ、Ｓ１１３ａ）、上記第１、第２実施形態と同様に、各キーに対する所定の押下操作に応じてモードの切り替えを実施してもよい。
【００６２】
（３）上記第２実施形態において、選択モードに切り替えられる場合には、上記第３実施形態と同様に、各データ入力領域Ｓの入力位置に対応するキー位置のキーを点灯・点滅させてもよい。また、上記第３実施形態において、選択モードに切り替えられる場合には、上記第２実施形態と同様に、表示画面４６ａにグリッドＧを表示してもよい。これにより、選択モードでは、各データ入力領域Ｓに対応するキー位置のキーが点灯・点滅するとともに、表示画面４６ａにグリッドＧが表示されるので、各データ入力領域Ｓの入力位置と対応するキーのキー位置との関係がさらに明確になり、所望のデータ入力領域Ｓに対応するキーをさらに確実に操作することができる。
【符号の説明】
【００６３】
１０…光学的情報読取装置（携帯端末）
４０…制御回路（モード切替手段，データ入力領域選択手段）
４２ａ，４２ｂ…トリガースイッチ（選択調整手段）
４６…液晶表示器
４６ａ…表示画面
５０，５０ａ…キーボード
Ｃ…カーソル
Ｇ…グリッド（パターン）
Ｓ１〜Ｓ８…データ入力領域
【図１】
2010277215.tif 000003
【図２】
2010277215.tif 000004
【図３】
2010277215.tif 000005
【図４】
2010277215.tif 000006
【図５】
2010277215.tif 000007
【図６】
2010277215.tif 000008
【図７】
2010277215.tif 000009
【図８】
2010277215.tif 000010
【図９】
2010277215.tif 000011
【図１０】
2010277215.tif 000012
【図１１】
2010277215.tif 000013